(57)【要約】【課題】  生産性が良く、小型で、安価なカメラモジュール、及びその取付構造を提供する。【解決手段】  本発明のカメラモジュールは、レンズ５を保持した保持部材１と、レンズ５に対向して配置された撮像素子８と、この撮像素子８の裏面を支持した状態で配置された絶縁基体７とを備え、撮像素子８は、引出部１０ｂを設けたフレキシブル基板によって引き出されるため、撮像素子８への複数の接続導体１０ａの接続が同時に行うことができ、生産性が良好であるばかりか、引出部１０ｂは、前面部９ｂから曲げ部９ｃを経由して後面部９ｄに引き出されるため、引出部１０ｂの断線の生じないものが得られる。【選択図】        図１
2006270568.tif 000002
【特許請求の範囲】
【請求項１】
レンズを保持した保持部材と、前記レンズに対向して配置された撮像素子と、この撮像素子の裏面を支持した状態で配置された絶縁基体とを備え、前記撮像素子に配線された絶縁材からなるフレキシブル基板を有し、このフレキシブル基板は、中央部に孔が設けられ、前記撮像素子の前面に配置される前面部と、この前面部に繋がり、曲げ部を介して前記絶縁基体の裏面側に配置される後面部と、前記前面部に設けられ、前記撮像素子に接続された接続導体と、この接続導体に繋がり、前記前面部から前記曲げ部を経由して前記後面部に引き出された導体からなる引出部を有したことを特徴とするカメラモジュール。
【請求項２】
前記絶縁基体は、前記撮像素子を収納する凹部が設けられ、前記絶縁基体の上面と前記撮像素子の上面が面一状態に形成されて、前記フレキシブル基板の前記前面部が前記絶縁基体と前記撮像素子の前記上面に面一状態に載置されたことを特徴とする請求項１記載のカメラモジュール。
【請求項３】
前記保持部材は、平面状の天面が設けられ、前記撮像素子を収納するための下部筒状部を有し、前記フレキシブル基板の前記前面部が前記天面と前記絶縁基体によって挟持されたことを特徴とする請求項１、又は２記載のカメラモジュール。
【請求項４】
前記絶縁基体は、四角筒をなした前記下部筒状部の内部の外形に対応した四角形をなすと共に、前記絶縁基体の一側面側には、位置決め壁を残して切り欠き部が設けられ、この切り欠き部内に前記曲げ部が位置した状態で、前記絶縁基体の外周部が前記下部筒状部内に嵌合して、前記絶縁基体が前記下部筒状部に取り付けられたことを特徴とする請求項１から３の何れかに記載のカメラモジュール。
【請求項５】
前記フレキシブル基板の前記後面部が前記絶縁基体の裏面に接着されたことを特徴とする請求項１から４の何れかに記載のカメラモジュール。
【請求項６】
請求項１から５の何れかに記載のカメラモジュールと、ソケットを取り付けた回路基板を備え、前記ソケットは、絶縁材からなる本体部と、この本体部に取り付けられた接触子を有し、前記絶縁基体が前記本体部に保持された状態で、前記引出部が前記接触子に接続されたことを特徴とするカメラモジュールの取付構造。
【請求項７】
前記引出部は、前記後面部の下面側に設けられると共に、前記引出部に接続される前記接触子が前記本体部の底壁に設けられたことを特徴とする請求項６記載のカメラモジュールの取付構造。
【発明の詳細な説明】
【技術分野】
【０００１】
本発明は携帯電話機等の電気機器に使用して好適なカメラモジュール、及びその取付構造に関する。
【背景技術】
【０００２】
図４は従来のカメラモジュール、及びその取付構造に係る分解斜視図、図５は従来のカメラモジュール、及びその取付構造を示す要部断面図を示し、従来のカメラモジュールの構成を図４，図５に基づいて説明すると、筒状の保持部材５１は、上部筒状部５１ａと、この上部筒状部５１ａに繋がった下部筒状部５１ｂを有し、この上部筒状部５１ａ内には、レンズ５２が取り付けられている。
【０００３】
平板からなり、外周部に多数の凹凸部が設けられた絶縁基板５３は、ここでは図示しないが、導電体からなる多数の引出導体が上面に設けられると共に、この引出導体に繋がって、外周の側面凹部に位置した接触部が設けられており、この絶縁基板５３の上面の中央部には、撮像素子５４が載置されて、撮像素子５４の下面が絶縁基板５３によって支持されている。
【０００４】
また、撮像素子５４は、ワイヤ（図示せず）によって、絶縁基板５３上の引出導体に接続されると共に、撮像素子５４が下部筒状部５１ｂ内に収納された状態で、絶縁基板５３が下部筒状部５１ｂの下端部に当接、配置されて、従来のカメラモジュールが形成されている。（例えば、特許文献１参照）
【０００５】
しかし、従来のカメラモジュールは、撮像素子５４が絶縁基板５３の引出導体にワイヤによって接続されるため、その作業が面倒で、生産性が悪く、また、絶縁基板５３の上面には接続導体、外周側面の凹部には接触部が設けられているため、接続導体と接触部が絶縁基板５３のエッジ部分で断線する恐れがあった。
【０００６】
次に、従来のカメラモジュールの取付構造を図４，図５に基づいて説明すると、回路基板５５には、ソケット５６が取り付けられており、このソケット５６は、絶縁材からなる環状の本体部５７と、この本体部５７の内部に取り付けられ、回路基板５５の配線パターン（図示せず）に接続された金属製バネ材からなる接触バネ５８を有する。
【０００７】
そして、従来のカメラモジュールは、絶縁基板５３が本体部５７内に挿入され、絶縁基板５３の側面凹部内の接触部が接触バネ５８に接触した状態で、ソケット５６に取り付けられている。（例えば、特許文献１参照）
【０００８】
しかし、従来のカメラモジュールの取付構造は、ソケット５６の接触バネ５８が絶縁基板５３の側面の接触部に接触するようになっているため、ソケット５６が横方向に大型になるばかりか、金属製バネ材からなる接触バネ５８を必要として、コスト高になる。
【０００９】
【特許文献１】特開２００４−３０４６０４号公報
【発明の開示】
【発明が解決しようとする課題】
【００１０】
従来のカメラモジュールは、撮像素子５４が絶縁基板５３の引出導体にワイヤによって接続されるため、その作業が面倒で、生産性が悪く、また、絶縁基板５３の上面には接続導体、外周側面の凹部には接触部が設けられているため、接続導体と接触部が絶縁基板５３のエッジ部分で断線する恐れがあるという問題がある。
また、従来のカメラモジュールの取付構造は、ソケット５６の接触バネ５８が絶縁基板５３の側面の接触部に接触するようになっているため、ソケット５６が横方向に大型になるばかりか、金属製バネ材からなる接触バネ５８を必要として、コスト高になるという問題がある。
【００１１】
そこで、本発明は生産性が良く、小型で、安価なカメラモジュール、及びその取付構造を提供することを目的とする。
【課題を解決するための手段】
【００１２】
上記課題を解決するための第１の解決手段として、レンズを保持した保持部材と、前記レンズに対向して配置された撮像素子と、この撮像素子の裏面を支持した状態で配置された絶縁基体とを備え、前記撮像素子に配線された絶縁材からなるフレキシブル基板を有し、このフレキシブル基板は、中央部に孔が設けられ、前記撮像素子の前面に配置される前面部と、この前面部に繋がり、曲げ部を介して前記絶縁基体の裏面側に配置される後面部と、前記前面部に設けられ、前記撮像素子に接続された接続導体と、この接続導体に繋がり、前記前面部から前記曲げ部を経由して前記後面部に引き出された導体からなる引出部を有した構成とした。
【００１３】
また、第２の解決手段として、前記絶縁基体は、前記撮像素子を収納する凹部が設けられ、前記絶縁基体の上面と前記撮像素子の上面が面一状態に形成されて、前記フレキシブル基板の前記前面部が前記絶縁基体と前記撮像素子の前記上面に面一状態に載置された構成とした。
また、第３の解決手段として、前記保持部材は、平面状の天面が設けられ、前記撮像素子を収納するための下部筒状部を有し、前記フレキシブル基板の前記前面部が前記天面と前記絶縁基体によって挟持された構成とした。
【００１４】
また、第４の解決手段として、前記絶縁基体は、四角筒をなした前記下部筒状部の内部の外形に対応した四角形をなすと共に、前記絶縁基体の一側面側には、位置決め壁を残して切り欠き部が設けられ、この切り欠き部内に前記曲げ部が位置した状態で、前記絶縁基体の外周部が前記下部筒状部内に嵌合して、前記絶縁基体が前記下部筒状部に取り付けられた構成とした。
また、第５の解決手段として、前記フレキシブル基板の前記後面部が前記絶縁基体の裏面に接着された構成とした。
【００１５】
また、第６の解決手段として、カメラモジュールと、ソケットを取り付けた回路基板を備え、前記ソケットは、絶縁材からなる本体部と、この本体部に取り付けられた接触子を有し、前記絶縁基体が前記本体部に保持された状態で、前記引出部が前記接触子に接続された構成とした。
また、第７の解決手段として、前記引出部は、前記後面部の下面側に設けられると共に、前記引出部に接続される前記接触子が前記本体部の底壁に設けられた構成とした。
【発明の効果】
【００１６】
本発明のカメラモジュールは、レンズを保持した保持部材と、レンズに対向して配置された撮像素子と、この撮像素子の裏面を支持した状態で配置された絶縁基体とを備え、撮像素子に配線された絶縁材からなるフレキシブル基板を有し、このフレキシブル基板は、中央部に孔が設けられ、撮像素子の前面に配置される前面部と、この前面部に繋がり、曲げ部を介して絶縁基体の裏面側に配置される後面部と、前面部に設けられ、撮像素子に接続された接続導体と、この接続導体に繋がり、前面部から曲げ部を経由して後面部に引き出された導体からなる引出部を有した構成とした。
即ち、撮像素子は、フレキシブル基板によって引き出されるため、撮像素子への複数の接続導体の接続が同時に行うことができ、生産性が良好であるばかりか、引出部は、曲げ部を経由して後面部に引き出されるため、引出部の断線の生じないものが得られる。
【００１７】
また、絶縁基体は、撮像素子を収納する凹部が設けられ、絶縁基体の上面と撮像素子の上面が面一状態に形成されて、フレキシブル基板の前面部が絶縁基体と撮像素子の上面に面一状態に載置されたため、フレキシブル基板の前面部が絶縁基体と撮像素子の上面に面一状態となって、撮像素子への接続導体の接続が容易となる。
【００１８】
また、保持部材は、平面状の天面が設けられ、撮像素子を収納するための下部筒状部を有し、フレキシブル基板の前面部が天面と絶縁基体によって挟持されたため、フレキシブル基板の支持の確実なものが得られる。
【００１９】
また、絶縁基体は、四角筒をなした下部筒状部の内部の外形に対応した四角形をなすと共に、絶縁基体の一側面側には、位置決め壁を残して切り欠き部が設けられ、この切り欠き部内に曲げ部が位置した状態で、絶縁基体の外周部が下部筒状部内に嵌合して、絶縁基体が下部筒状部に取り付けられたため、絶縁基体は、下部筒状部内に安定した状態で取り付けできる。
【００２０】
また、フレキシブル基板の後面部が絶縁基体の裏面に接着されたため、後面部の保持が安定し、ソケットへの挿入の容易なものが得られる。
【００２１】
また、本発明のカメラモジュールの取付構造は、カメラモジュールと、ソケットを取り付けた回路基板を備え、ソケットは、絶縁材からなる本体部と、この本体部に取り付けられた接触子を有し、絶縁基体が本体部に保持された状態で、引出部が接触子に接続されたため、接触子が絶縁基体の下面側の引出部に接触した状態となって、従来に比して、ソケットを横方に小型化を図ることができると共に、接触子は、バネ材を使用する必要が無く、安価なものが得られる。
【００２２】
また、引出部は、後面部の下面側に設けられると共に、引出部に接続される接触子が本体部の底壁に設けられたため、引出部がフレキシブル基板の外面側となり、この引出部の一部が接触子への接触部に利用できて、構成の簡単なものが得られる。
【発明を実施するための最良の形態】
【００２３】
本発明のカメラモジュール、及びその取付構造の図面を説明すると、図１は本発明のカメラモジュールに係る要部断面図、図２は図１の２−２線における断面図、図３は本発明のカメラモジュールの取付構造に係る要部断面図である。
【００２４】
次に、本発明のカメラモジュールに係る構成を図１〜図３に基づいて説明すると、合成樹脂の成型品等からなる保持部材１は、円筒からなる上部筒状部２と、この上部筒状部２内に設けられ、中央部に孔２ａを有する環状の鍔部２ｂと、上部筒状部２の下部に繋がり、上部筒状部２より大きな四角筒からなる下部筒状部３と、この下部筒状部３内に設けられた平面状の天面３ａと、中央部に孔４ａを有し、上部筒状部２の前方に被せられたキャップ４を有する。
【００２５】
レンズ５は、上部筒状部２内に取り付けられると共に、レンズ５と対向する赤外線除去フィルタ（ＩＲカットフィルタ）６は、上部筒状部２内に取り付けられている。
【００２６】
絶縁材からなる四角平板状の絶縁基体７は、上面中央部に設けられた凹部７ａと、一側面側で、両端部に位置決め壁７ｃを残して設けられた切り欠き部７ｂを有し、この凹部７ａ内には、撮像素子８が収納されて、撮像素子８の下面が凹部７ａの底部に接着、支持されると共に、絶縁基体７の上面と撮像素子８の上面が面一状態になっている。
この絶縁基体７は、撮像素子８と共に下部筒状部３内に収納され、外周部が下部筒状部３の内壁に当接した状態で嵌合されると共に、撮像素子８は、赤外線除去フィルタ６を介してレンズ５に対向して配置されている。
【００２７】
絶縁材からなるフィルム状のフレキシブル基板９は、中央部に孔９ａを有する前面部９ｂと、この前面部９ｂに繋がって曲げられた曲げ部９ｃと、この曲げ部９ｃに繋がった後面部９ｄと、孔９ａの周囲の前面部９ｂに設けられた複数の接続導体１０ａと、この接続導体１０ａに繋がり、前面部９ｂから曲げ部９ｃを介して後面部９ｄに引き出された導電体からなる複数の引出部１０ｂを有する。
【００２８】
このような構成を有するフレキシブル基板９は、孔９ａが撮像素子８の上面中央部に位置した状態で、前面部９ｂが撮像素子８と絶縁基体７の上面に面一状態に載置され、接続導体１０ａが撮像素子８の電極に接続される。
そして、フレキシブル基板９は、絶縁基体７の側面に沿って曲げられて曲げ部９ｃが設けられ、この曲げ部９ｃが切り欠き部７ｂ内に位置すると共に、後面部９ｄが絶縁基体７の裏面側に位置し、接着剤によって絶縁基体７の裏面に接着されている。
【００２９】
そして、接続導体１０ａは、前面部９ｂに設けられた貫通孔内に設けられた導電体からなり、その下面側が撮像素子８に接続されるようになると共に、引出部１０ｂは、フレキシブル基板９の外面側に配設され、後面部９ｄでは、引出部１０ｂが下面側に位置した状態となっている。
【００３０】
なお、上記実施例では、引出部１０ｂがフレキシブル基板９の外面側に設けられたもので説明したが、引出部１０ｂがフレキシブル基板９の内面側に設けられると共に、前面部９ｂに位置し、引出部１０ｂの一端側である接続導体１０ａが撮像素子８に接続され、また、後面部９ｄに位置する引出部１０ｂの他端には、後面部９ｄの貫通孔内に設けられた導体からなる接触部を設けても良い。
【００３１】
次に、本発明のカメラモジュールの取付構造を図３に基づいて説明すると、配線パターン１１を有する回路基板１２には、ソケット１３が取り付けられており、このソケット１３は、絶縁材からなる本体部１４と、この本体部１４の底壁１４ａに取り付けられ、配線パターン１１に接続された複数の接触子１５を有する。
【００３２】
そして、本発明のカメラモジュールは、絶縁基体７がソケット１３の本体部１４内に挿入されて取り付けられると共に、フレキシブル基板９の後面部９ｄの下面に位置する引出部１０ｂ、或いは接触部のそれぞれが接触子１５に接触した状態となって、本発明のカメラモジュールが回路基板１２の配線パターン１１に接続されるようになっている。
【図面の簡単な説明】
【００３３】
【図１】本発明のカメラモジュールに係る要部断面図。
【図２】図１の２−２線における断面図。
【図３】本発明のカメラモジュールの取付構造に係る要部断面図。
【図４】従来のカメラモジュール、及びその取付構造に係る分解斜視図。
【図５】従来のカメラモジュール、及びその取付構造を示す要部断面図。
【符号の説明】
【００３４】
１：保持部材
２：上部筒状部
２ａ：孔
２ｂ：鍔部
３：下部筒状部
３ａ：天面
４：キャップ
４ａ：孔
５：レンズ
６：赤外線除去フィルタ
７：絶縁基体
７ａ：凹部
７ｂ：切り欠き部
７ｃ：位置決め壁
８：撮像素子
９：フレキシブル基板
９ａ：孔
９ｂ：前面部
９ｃ：曲げ部
９ｄ：後面部
１０ａ：接続導体
１０ｂ：引出部
１１：配線パターン
１２：回路基板
１３：ソケット
１４：本体部
１４ａ：底壁
１５：接触子
【図１】
2006270568.tif 000003
【図２】
2006270568.tif 000004
【図３】
2006270568.tif 000005
【図４】
2006270568.tif 000006
【図５】
2006270568.tif 000007